(57)【要約】      （修正有）【課題】書籍やブックカバー等に固定可能であり、ページを開く際にも書籍等からの落下を防止し、所望のページに容易に差し挟むことが可能なブックマークを提供する。【解決手段】ブックマーク１は、被固定部に固定可能な固定部１１と、前記固定部１１に一方の端部が連結された１又は２以上の紐状部１２とを少なくとも備え、前記固定部１１の一方の面は、前記被固定部に対し接着による固定を可能にする接着面であることを特徴とする。【選択図】図１
0003224997.tif 000002
【実用新案登録請求の範囲】
【請求項１】
被固定部に固定可能な固定部と、
前記固定部に一方の端部が連結された１又は２以上の紐状部とを少なくとも備え、
前記固定部の一方の面は、前記被固定部に対し接着による固定を可能にする接着面であるブックマーク。
【請求項２】
前記固定部の他方の面は刺繍が施された刺繍面である請求項１に記載のブックマーク。
【請求項３】
前記紐状部の他方の端部には、当該紐状部を把持するための把持部が設けられている請求項１又は２に記載のブックマーク。
【請求項４】
前記把持部は、前記紐状部の他方の端部を内部に保持して、当該紐状部と連結する請求項３に記載のブックマーク。
【請求項５】
前記固定部における前記接着面の全面には、当該接着面を保護するための離型フィルムが設けられている請求項１〜４の何れか１項に記載のブックマーク。
【考案の詳細な説明】
【技術分野】
【０００１】
本考案はブックマークに関し、より詳細には、書籍、冊子、手帳、メモ帳、ノート及びこれらのカバー類等に固定し、特定のページを開きやすくするためのブックマークに関する。
【背景技術】
【０００２】
ブックマークは、例えば、読書を一時的に中断する場合に、当該書籍の特定のページにブックマークを挟み、どこまで読んだかを標示するものである。これにより、読書を再開する場合には、ブックマークを挟んだ特定のページを開くことで、読書を一時中断した箇所を速やかに見つけ出すことができる。
【０００３】
従来のブックマークとしては、例えば、書籍のヘッドバンド（花ぎれ）と背の間に、一方の端部が糊付けされたしおり紐等が挙げられる。しおり紐の他方の端部は自由端となっており、当該しおり紐を書籍の特定のページ間に引き入れ、その自由端を書籍下方で露出することで、読書を再開する際に特定のページを開きやすくしている。
【０００４】
しかし、しおり紐の様な従来のブックマークであると、書籍に糊付け等をしなければならず、煩雑な作業と製造時間を要する。また、書籍等の種類によっては、その様なしおり紐の取り付けが困難な場合もある。そのため、取り付けが困難な書籍等の場合では、別途、書籍に連結されていない独立したブックマークが用いられている。
【０００５】
しかし、その様な独立したブックマークであると、特定のページ間にブックマークを挟持して保持しておく必要がある。この場合、ブックマークは、ページ間での挟持を可能にするために薄板状であることを要する。また、読書中の場合には、特定のページを開く結果、ブックマークを挟持により保持することが困難になる。そのため、読書中にブックマークが落下したり、あるいはそれに起因して紛失するという問題がある。
【０００６】
これらの問題に対し、例えば、特許文献１では、しおり本体における長手方向の一方の端部に、糊部と折目を備えたしおりが提案されている。この特許文献１によると、糊部を書籍に貼り付けて折目を折り、他方の端部を特定のページ間に差し挟んで用いることが開示されている。
【先行技術文献】
【特許文献】
【０００７】
【特許文献１】実開平７−７５７号
【考案の概要】
【考案が解決しようとする課題】
【０００８】
本考案は、書籍やブックカバー等に固定可能であり、ページを開く際にも書籍等からの落下を防止し、所望のページに容易に差し挟むことが可能なブックマークの提供を目的とする。
【課題を解決するための手段】
【０００９】
本考案に係るブックマークは、前記の課題を解決するために、被固定部に固定可能な固定部と、前記固定部に一方の端部が連結された１又は２以上の紐状部とを少なくとも備え、前記固定部の一方の面は、前記被固定部に対し接着による固定を可能にする接着面である。
【００１０】
前記の構成に於いて、前記固定部の他方の面は刺繍が施された刺繍面であることが好ましい。
【００１１】
前記の構成に於いては、前記紐状部の他方の端部には、当該紐状部を把持するための把持部が設けられていることが好ましい。
【００１２】
また前記の構成に於いて、前記把持部は、前記紐状部の他方の端部を内部に保持して、当該紐状部と連結することが好ましい。
【００１３】
さらに前記の構成に於いて、前記固定部における前記接着面の全面には、当該接着面を保護するための離型フィルムが設けられていることが好ましい。
【考案の効果】
【００１４】
本考案に係るブックマークは、被固定部に固定可能な固定部と、前記固定部に一方の端部が連結された紐状部とを少なくとも備える。固定部の一方の面は、被固定部に対し接着による固定を可能にする接着面である。これにより、例えば、書籍等の被固定部に対し固定部の接着面で接着することにより、ブックマークの被固定部への固定を可能にする。その結果、ページを開く際にも書籍等からの落下を防止し、所望のページに容易に差し挟むことが可能なブックマークを提供することができる。
【図面の簡単な説明】
【００１５】
【図１】本実施の形態に係るブックマークを概略的に表す説明図である。
【図２】前記ブックマークの断面形状を表す断面模式図である。
【図３】前記ブックマークの使用状態を表す斜視図である。
【考案を実施するための形態】
【００１６】
本実施の形態に係るブックマークについて、図１〜図３に基づき以下に説明する。
図１は、本実施の形態に係るブックマークを概略的に表す説明図である。図２は、前記ブックマークの断面形状を表す断面模式図である。図３は、前記ブックマークの使用状態を表す斜視図である。
【００１７】
本実施の形態のブックマーク１は、図１に示すように、固定部１１と、固定部１１に一方の端部が連結された紐状部１２と、紐状部１２の他方の端部に設けられた把持部１３とを少なくとも備える。
【００１８】
固定部１１は、書籍、冊子、手帳、メモ帳、ノート及びこれらのカバー類等の被固定部に対し固定可能な構造を有する。具体的には、図２に示すように、基布１１ｃの一方の面に接着面１１ａが形成され、接着面１１ａとは反対側の他方の面に刺繍面１１ｂが形成された構造を有する。固定部１１に接着面１１ａを設けることにより、被固定部に対し固定部１１を接着により固定することが可能になる。
【００１９】
固定部１１の平面視における形状（平面形状）は特に限定されない。刺繍面１１ｂに施される刺繍の図柄等に応じて適宜設定することができる。
【００２０】
前記基布１１ｃとしては特に限定されず、例えば、ポリエステル繊維、アクリル繊維、及びナイロン繊維等の合成繊維からなるフェルトや、不織布、織布、ニット等が挙げられる。
【００２１】
接着面１１ａは、例えば、基布１１ｃの一方の面に接着剤が塗布されて形成される。また、基布１１ｃの一方の面に、接着剤を備えた接着シートを貼り付けて形成してもよい。前記接着剤としては特に限定されず、例えば、加熱により溶融し、その後、硬化するホットメルト型接着剤や、常温下で圧力を加えることにより接着する感圧接着剤（粘着剤）等を用いることができる。
【００２２】
刺繍面１１ｂは、接着面１１ａとは反対側の面に刺繍が施されて形成される。刺繍の刺繍糸についても特に限定されず、従来公知のものを用いることができる。また、刺繍には、ビーズ、羽柄、スパンコール、金属片、真珠等を併用してもよい。
【００２３】
固定部１１の平面形状の大きさ及び厚さは特に限定されない。但し、固定部１１の平面形状の大きさは、接着面１１ａを被固定部に接着させる接着面積の確保の観点から設定するのが好ましい。すなわち、接着面１１ａの面積が大きいほど、被固定部に対する接着面１１ａの接着強度を向上させることができ、固定部１１が被固定部から脱落するのを防止又は低減することができる。
【００２４】
紐状部１２としては、例えば、繊維を束ねて細長くした紐や、皮革等からなるものが挙げられる。紐状部１２の長さ、幅及び厚さは特に限定されず、適宜設定することができる。
【００２５】
紐状部１２の固定部１１への連結方法については、特に限定されない。本実施の形態においては、図２に示すように、前記基布１１ｃ上に紐状部１２の一方の端部を載置した状態で刺繍を施し、当該一方の端部が内部に保持（包含）される状態で刺繍面１１ｂを形成することにより、紐状部１２を固定部１１に連結している。
【００２６】
把持部１３は、紐状部１２における他方の端部に設けられている。把持部１３を設けることにより、当該把持部１３を設けない場合と比較して、紐状部１２の先端（他方の端部）を持ち易くすることができ、ブックマーク１の取扱い性の向上が図れる。
【００２７】
把持部１３は、図２に示すように、他の基布１３ｂの両面に刺繍が施された他の刺繍面１３ａを備える。他の基布１３ｂとしては特に限定されず、固定部１１に用いられる基布と同様のものを用いることができる。また、他の刺繍面１３ａの形成に用いられる刺繍糸についても、固定部１１に用いられる刺繍糸と同様のものを用いることができる。把持部１３の平面形状は特に限定されない。他の刺繍面１３ａに施される刺繍の図柄等に応じて適宜設定することができる。
【００２８】
把持部１３の平面形状の大きさ及び厚さは特に限定されない。但し、把持部１３の平面形状の大きさは、当該把持部１３の持ち易さが損なわれない程度であることが好ましい。
【００２９】
尚、本実施の形態においては、把持部１３として、他の基布１３ｂの両面に刺繍面１３ａが設けられた態様を例にして説明した。しかし、本考案はこの態様に限定されるものではない。例えば、把持部１３はビーズ等からなるものであってもよい。
【００３０】
紐状部１２の把持部１３への連結方法については、特に限定されない。本実施の形態においては、図２に示すように、前記他の基布１３ｂ上に紐状部１２の他方の端部を載置した状態で刺繍を施し、当該他方の端部が内部に保持（包含）される状態で刺繍面１３ａを形成することにより、紐状部１２を把持部１３に連結している。このような態様であると、他方の端部が把持部１３の内部にあるため、例えば、紐状部１２が繊維を束ねて細長くした紐である場合にも当該他方の端部で繊維のほつれが発生するのを防止することができる。
【００３１】
本実施の形態のブックマーク１は、図３に示すように、固定部１１の接着面１１ａを被固定部としての書籍２の表紙に接着させることで、当該固定部１１を書籍２に固定して使用することができる。これにより、本実施の形態のブックマーク１は、書籍２との連結を形成するので、特定のページ間にブックマーク１を差し込み挟持しなくても、書籍２からの遺失又は滑り落ちを防止することができる。また、固定部１１の刺繍面１１ｂや把持部１３の刺繍面１３ａには、それぞれ刺繍により種々の図柄が表されているため、本実施の形態のブックマーク１は装飾性にも優れている。
【００３２】
（その他の事項）
以上の説明に於いては、本考案の最も好適な実施態様について説明した。しかし、本考案は当該実施態様に限定されるものではない。
【００３３】
例えば、前記実施の形態では、紐状部が１つである場合を例にして本考案のブックマークを説明したが、当該紐状部は複数備えていてもよい。これにより、書籍等の複数のページ間にそれぞれ紐状部を差し挟むことが可能になる。この場合、紐状部の他方の端部に設けられる把持部はそれぞれ形状等が異なっていてもよい。
【００３４】
また、前記実施の形態では、固定部が刺繍面を備える場合を例にして本考案のブックマークを説明したが、本考案はこの態様に限定されない。例えば、任意の図柄等が印刷された印刷面であってもよい。
【００３５】
また、本考案に係るブックマークの使用前においては、固定部１１の接着面１１ａに、脱離することが可能な離型フィルムを設けておいてもよい。これにより、使用前においては接着面１１ａの保護が図れ、接着力の低下を防止することができる。
【符号の説明】
【００３６】
１  ブックマーク
２  書籍（被固定部）
１１  固定部
１１ａ  接着面
１１ｂ  刺繍面
１１ｃ  基布
１２  紐状部
１３  把持部
１３ａ  刺繍面
１３ｂ  他の基布
【図１】
0003224997.tif 000003
【図２】
0003224997.tif 000004
【図３】
0003224997.tif 000005